(57)【特許請求の範囲】
【請求項１】
空調システムに関する情報を格納する空調室外機と、前記空調室外機に格納された情報を、自端末のエネルギーを用いて読み取りおよび書き込み可能な携帯端末とを備えた空調システムにおいて、
前記空調室外機は、
前記携帯端末で空調システムに関する操作が行われたことにより、当該操作に基づいて前記携帯端末から書き込まれる命令コマンドを格納する制御データ格納部と、
前記空調システム内の稼働状態の識別に利用されるデータであり、前記制御データ格納部に前記命令コマンドが書き込まれる際に、予め格納した初期値から所定の第１状態値に書き換えられる識別用データを格納する識別用データ格納部と、
前記識別用データ格納部の識別用データが前記初期値から前記第１状態値に書き換えられたことを検知すると、前記識別用データを前記第１状態値から所定の第２状態値に書き換える通信制御部とを有し、
前記携帯端末は、
ユーザにより空調システムに関する操作が行われると、当該操作に基づく命令コマンドを生成し、前記空調室外機に実行させるために前記制御データ格納部に書き込むとともに、前記識別用データ格納部の識別用データを前記初期値から前記第１状態値に書き換え、所定時間経過後に前記識別用データ格納部の識別用データを読み出すリーダ／ライタ部と、
前記リーダ／ライタ部により読み出された識別用データが、前記第２状態値に書き換えられていないことを検知すると、前記空調室外機の非通電を報知するための出力情報を生成する出力制御部と
を有することを特徴とする空調システム。
【請求項２】
前記空調室外機には少なくとも１台の空調室内機が接続され、
前記空調室外機の前記通信制御部は、前記携帯端末から前記制御データ格納部に書き込まれた命令コマンドが前記空調室内機に関する情報要求であるときに、前記空調室内機から該当する情報を取得して前記携帯端末に提供するために前記制御データ格納部に格納するとともに、前記識別用データ格納部の識別用データを、前記第２状態値から所定の第３状態値に書き換え、
前記携帯端末のリーダ／ライタ部は、前記ユーザにより前記空調室内機に関する情報を要求する操作が行われたことにより、当該操作に基づく命令コマンドを前記制御データ格納部に書き込むとともに前記識別用データ格納部の識別用データを前記初期値から前記第１状態値に書き換え、所定時間経過後に読み出した識別用データが、前記出力制御部により前記第２状態値に書き替えられたことを検知した後、所定時間が経過すると、前記識別用データ格納部の識別用データを再度読み出し、
前記携帯端末の出力制御部は、前記リーダ／ライタ部により再度読み出された識別用データが前記第３状態値に書き換えられていないことを検知すると、前記空調室外機と前記空調室内機との間の通信に異常が発生したことを報知するための出力情報を生成する
ことを特徴とする請求項１に記載の空調システム。
【請求項３】
前記携帯端末の出力制御部は、ユーザに行われた操作に基づく命令コマンドを前記制御データ格納部に書き込む処理が正常に実行されなかったことを検知すると、前記空調室外機と自携帯端末との間の通信に異常が発生したことを報知するための出力情報を生成する
ことを特徴とする請求項１または２に記載の空調システム。
【請求項４】
空調システムに関する情報を格納する空調室外機と、前記空調室外機に格納された情報を、自端末のエネルギーを用いて読み取りおよび書き込み可能な携帯端末とを備え、前記空調室外機が、前記携帯端末で空調システムに関する操作が行われた際に当該操作に基づいて前記携帯端末から書き込まれる命令コマンドを格納する制御データ格納領域と、自システム内の稼働状態の識別に利用される識別用データを格納する識別用データ格納領域とを有する空調システムの、
ユーザにより前記携帯端末で空調システムに関する操作が行われると、前記携帯端末が、当該操作に基づく命令コマンドを生成して、前記空調室外機に実行させるために前記制御データ格納領域に書き込むとともに、前記識別用データ格納領域の識別用データを、予め格納された初期値から所定の第１状態値に書き換えるステップと、
前記空調室外機が、前記識別用データ格納領域の識別用データが前記初期値から前記第１状態値に書き換えられたことを検知すると、前記識別用データを前記第１状態値から所定の第２状態値に書き換えるステップと、
前記携帯端末が、前記命令コマンドを書き込むとともに前記識別用データを前記第１状態値に書き換えた後、所定時間が経過したときに前記識別用データ格納領域の識別用データを読み出して、読み出した識別用データが前記第２状態値に書き換えられていないことを検知すると、前記空調室外機の非通電を報知するための出力情報を生成するステップと
を有することを特徴とする空調システムの稼働状態報知方法。
【請求項５】
前記空調室外機には少なくとも１台の空調室内機が接続され、
前記携帯端末から前記制御データ格納領域に書き込まれた命令コマンドが前記空調室内機に関する情報要求であるときに、前記空調室外機が、前記空調室内機から該当する情報を取得して前記携帯端末に提供するために前記制御データ格納領域に格納するとともに、前記識別用データ格納領域の識別用データを、前記第２状態値から所定の第３状態値に書き換えるステップと、
前記携帯端末が、前記命令コマンドを書き込むとともに前記識別用データを第１状態値に書き換えた後、所定時間が経過したときに読み出した識別用データが前記第２状態値に書き替えられたことを検知し、その後所定時間が経過したときに前記識別用データ格納領域の識別用データを再度読み出し、再度読み出した識別用データが前記第３状態値に書き換えられていないことを検知すると、前記空調室外機と前記空調室内機との間の通信に異常が発生したことを報知するための出力情報を生成するステップとをさらに有する
ことを特徴とする請求項４に記載の空調システムの稼働状態報知方法。
【発明の詳細な説明】
【技術分野】
【０００１】
本発明の実施形態は、空調システム、および空調システムの稼働状態報知方法に関する。
【背景技術】
【０００２】
従来、業務用の空調システムとして、１台の室外機に複数台の室内機が接続されたマルチエアコンがある。マルチエアコンでは、室外機において、接続された各室内機の稼働に関する情報（例えば設定温度やセンサ情報）が逐次取得されて一括管理されている。そして、管理者がリモートコントローラを操作して室外機と通信を行うことにより、室外機や各室内機の稼働に関する情報をリモートコントローラに出力させたり、設定変更操作を行ったりすることができる。
【先行技術文献】
【特許文献】
【０００３】
【特許文献１】特許第５６６９９１２号公報
【発明の概要】
【発明が解決しようとする課題】
【０００４】
上述した空調システムにおいて、リモートコントローラから行った操作が正常に実行されなかった場合、その原因としては例えば、室外機が通電されていないことや、空調システム内の通信に不具合が生じていることが考えられる。しかし、これらの原因を特定して復旧作業を行うためには、管理者が室外機や室内機の内部を確認して稼働状態を詳細に把握しなければならず、手間と時間がかかるという問題があった。
【０００５】
本発明は上記事情に鑑みてなされたものであり、空調システムの稼働状態を、簡易な操作で詳細に報知することが可能な空調システム、および空調システムの稼働状態報知方法を提供することを目的とする。
【課題を解決するための手段】
【０００６】
上記目的を達成するための実施形態によれば空調システムは、空調システムに関する情報を格納する空調室外機と、空調室外機に格納された情報を自端末のエネルギーを用いて読み取りおよび書き込み可能な携帯端末とを備える。空調室外機は、携帯端末から空調システムに関する操作が行われたことにより、予め格納した識別用データが初期値から所定の第１状態値に書き換えられたことを検知すると、当該識別用データを第１状態値から所定の第２状態値に書き換える。携帯端末は、ユーザにより空調システムに関する操作が行われると識別用データを初期値から第１状態値に書き換え、その後所定時間経過すると識別用データを読み出し、第２状態値に書き換えられていなければ、空調機の非通電を報知するための出力情報を生成する。
【図面の簡単な説明】
【０００７】
【図１】本発明の一実施形態による空調システムの構成を示す全体図である。
【図２】本発明の一実施形態による空調システムを示すブロック図である。
【図３】本発明の一実施形態による空調システムに利用する携帯端末、室外機内のフラッシュＲＯＭおよび通信制御部で実行される処理を示すフローチャートである。
【発明を実施するための形態】
【０００８】
〈一実施形態による空調システムの構成〉
本発明の一実施形態による空調システムの全体構成について、図１を参照して説明する。本実施形態による空調システム１は、近距離無線通信（ＮＦＣ）で利用されるＮＦＣタグを備えた空調室外機（以下、単に「室外機」と称する）１０と、室外機１０に接続された複数の空調室内機（以下、単に「室内機」と称する）２０−１、２０−２・・・２０−ｎと、ＮＦＣリーダ・ライタ機能を備えた携帯端末３０とを備える。そして、携帯端末３０が室外機１０の所定位置にかざされることにより、非接触で、携帯端末３０のＮＦＣリーダ・ライタ機能による室外機１０のＮＦＣタグの読み取りおよび書き込みが実行可能になる。
【０００９】
空調システム１の詳細な構成について、図２を参照して説明する。室外機１０には、通信用基板１１と空調機制御用基板１２とが組み込まれている。通信用基板１１には、フラッシュメモリＲＯＭ１１１と、通信制御部１１２とが搭載されている。フラッシュメモリＲＯＭ１１１は、室外機１０および室内機２０−１〜２０−ｎの動作制御に関する情報（命令コマンドや、命令コマンドの実行により取得された情報）を格納する制御データ格納領域１１１１と、空調システム１内の稼働状態の識別に利用される識別用データを格納する識別用データ格納領域１１１２とを有し、これらの領域はＮＦＣタグとして構成されている。通信制御部１１２は、フラッシュメモリＲＯＭ１１１と空調機制御用基板１２と間の通信を制御するマイコンで構成され、フラッシュメモリＲＯＭ１１１に格納された情報の読み出しおよび書き込み処理を実行する機能、制御データ格納領域１１１１から読み出した命令コマンドを実行する機能、および、識別用データ格納領域１１１２から読み出した識別用データを監視する機能等を有する。
【００１０】
空調機制御用基板１２には、室外機１０および室内機２０−１〜２０−ｎからこれらの動作に関する情報（設定値、センサ情報値等）を所定時間間隔で取得するとともに、室外機１０および各室内機２０−１〜２０−ｎの動作を制御する空調制御部１２１と、室外機１０および室内機２０−１〜２０−ｎから取得した情報を記憶する空調機情報記憶部１２２と、通信制御部１２３とが搭載されている。通信制御部１２３は、空調制御部１２１と、空調機情報記憶部１２２と、通信用基板１１との間の通信を制御するマイコンで構成されている。
【００１１】
携帯端末３０は、例えばスマートデバイスで構成され、室外機１０および室内機２０−１〜２０−ｎの監視および制御を行うためのリモートコントローラとして機能し、ユーザインタフェース部３１と、書き込み情報生成部３２と、ＮＦＣリーダ／ライタ部３３と、識別用データ監視部３４と、出力制御部３５とを有する。
【００１２】
ユーザインタフェース部３１はタッチパネルディスプレイや、マイクおよびスピーカで構成され、当該空調システム１のユーザである管理者による操作情報を入力するとともに、当該入力した操作情報に基づいて生成された出力情報を出力する。
【００１３】
書き込み情報生成部３２は、ユーザインタフェース部３１から入力された操作情報に基づいて、フラッシュＲＯＭ１１１内の制御データ格納領域１１１１および識別用データ格納領域１１１２に書き込む情報を生成する。
【００１４】
ＮＦＣリーダ／ライタ部３３は、書き込み情報生成部３２で生成された情報をフラッシュＲＯＭ１１１の該当する領域に書き込むとともに、フラッシュＲＯＭ１１１内の情報の書き込み状況に応じて、所定のタイミングで識別用データ格納領域１１１２内の識別用データを読み出して識別用データ監視部３４に送出する。ここで実行される識別用データの読み出しタイミングについては、後段で詳細に説明する。
【００１５】
識別用データ監視部３４は、ＮＦＣリーダ／ライタ部３３で読み出された識別用データを監視し、監視状況に基づいて、室外機１０の通電状態または空調システム１内の通信状態に異常が発生したか否かを判断する。
【００１６】
出力制御部３５は、識別用データ監視部３４において、室外機１０の通電状態または空調システム１内の通信状態に異常が発生したと判断されたときに、該当する異常の発生を管理者に報知するための出力情報を生成してユーザインタフェース部３１からテキスト情報や音声情報で出力させる。これらの情報を出力させる際に、携帯端末３０を振動させて管理者の注意をひくようにしてもよい。
【００１７】
〈一実施形態による空調システムの動作〉
次に、本実施形態による空調システム１の動作について、図２および３を参照して説明する。図３は、空調システム１において実行される処理を示すフローチャートである。
【００１８】
本実施形態において空調システム１の稼働中は、室外機１０の空調機制御用基板１２の空調制御部１２１において、接続された室内機２０−１〜２０−ｎの設定値やセンサ情報が所定時間間隔で取得され、通信制御部１２３を介して空調機情報記憶部１２２に送出され記憶されている。
【００１９】
また、室外機１０の通信用基板１１のフラッシュメモリＲＯＭ１１１内の識別用データ格納領域１１１２には、識別用データの初期値「0」が予め格納され（Ｓ１）、通信用基板１１の通信制御部１１２においてフラッシュメモリＲＯＭ１１１内の識別用データ格納領域１１１２の識別用データの値が所定時間間隔で読み出されて監視されている（Ｓ２）。
【００２０】
上述した処理が実行されている状態で、管理者が携帯端末３０を室外機１０の通信用基板１１に対応する位置にかざしてＮＦＣにより通信可能な状態にし、ユーザインタフェース部３１で室内機２０−１〜２０−ｎに関する情報、例えば現在の設定値の情報を表示させるための操作を行うと、当該操作に基づいて室内機２０−１〜２０−ｎの現在の設定値の情報要求が入力される。以下に、空調システム１が正常に稼働しているときに、当該情報要求が入力されて実行される処理について説明する。
【００２１】
携帯端末３０のユーザインタフェース部３１において室内機２０−１〜２０−ｎの現在の設定値の情報要求が入力されると（Ｓ３の「YES」）、書き込み情報生成部３２において、「室内機２０−１〜２０−ｎの現在の設定値の情報要求」を実行させるための命令コマンドが生成されるとともに、識別用データを初期値「0」から所定の第１状態値「1」に書き換えるための識別用データ更新情報が生成される。
【００２２】
次に、ＮＦＣリーダ／ライタ部３３により、生成された命令コマンドがフラッシュメモリＲＯＭ１１１の制御データ格納領域１１１１に書き込まれるとともに、生成された識別用データ更新情報に基づいて識別用データ格納領域１１１２内の識別用データが「0」から「1」に書き換えられる（Ｓ４、Ｓ５；図１および２の矢印ａ）。ここで、携帯端末３０と空調室外機１０との間でＮＦＣによる通信が行われるときには、携帯端末３０から発信される電波エネルギーが用いられるため、室外機１０が通電状態となっていなくても携帯端末３０から室外機１０への情報の書き込み処理および携帯端末３０による室外機１０からの情報の読み出し処理が可能である。
【００２３】
識別用データ格納領域１１１２内の識別用データが「0」から「1」に書き換えられると、室外機１０の通信用基板１１の通信制御部１１２において、当該書き換えが実行されたことが検知される（Ｓ６；矢印ｃ）。
【００２４】
通信制御部１１２で識別用データが「0」から「1」に書き換えられたことが検知されると（Ｓ６の「YES」）、通信制御部１１２により、識別用データ格納領域１１１２内の識別用データが「1」から第２状態値「2」に書き換えられる（Ｓ７、Ｓ８；矢印ｄ）。
【００２５】
一方、携帯端末３０では、ステップＳ４における命令コマンドの書き込みおよび識別用データの書き換え処理が正常に実行されたか否かが確認され（Ｓ９；矢印ｂ）、正常に実行されたと判断されると（Ｓ９の「YES」）、所定時間経過後に（Ｓ１０の「YES」）ＮＦＣリーダ／ライタ部３３により識別用データ格納領域１１１２内の識別用データが読み出され（Ｓ１１；矢印ｂ）、識別用データ監視部３４に送出される。そして、識別用データ監視部３４において、読み出された識別用データが「2」に書き換えられているか否かが判定される（Ｓ１２）。識別用データが「2」に書き換えられていれば（Ｓ１２の「YES」）、室外機１０内が通電されて正常に稼働していると判断される。
【００２６】
また、室外機１０の通信制御部１１２では、識別用データの「1」から「2」への書き換え後、制御データ格納領域１１１１から命令コマンドが読み出され、実行される（Ｓ１３）。ここでは、格納された命令コマンドに基づいて、空調機制御用基板１２の通信制御部１２３を介して空調機情報記憶部１２２から室内機２０−１〜２０−ｎの現在の設定値の情報が取得される（矢印ｅ、ｆ）。
【００２７】
通信用基板１１の通信制御部１１２において室内機２０−１〜２０−ｎの設定値の情報が取得されると、通信制御部１１２により制御データ格納領域１１１１に書き込まれるとともに、識別用データ格納領域１１１２の識別用データが「2」から第３状態値「3」に書き換えられる（Ｓ１４、Ｓ１５；矢印ｄ）。
【００２８】
一方、携帯端末３０では、ステップＳ１２において識別用データが「2」に書き換えられていると判定されてから（Ｓ１２の「YES」）、所定時間経過後に（Ｓ１６の「YES」）、ＮＦＣリーダ／ライタ部３３により識別用データ格納領域１１１２内の識別用データが読み出され（Ｓ１７；矢印ｂ）、識別用データ監視部３４に送出される。そして、識別用データ監視部３４において、読み出された識別用データが「3」に書き換えられているか否かが判定される（Ｓ１８）。
【００２９】
識別用データが「3」に書き換えられていれば（Ｓ１８の「YES」）、室外機１０により室内機２０−１〜２０−ｎからの情報が正常に取得されており、室外機１０と室内機２０−１〜２０−ｎとの間の通信が正常に行われている判断される。そして、要求した情報（室内機２０−１〜２０−ｎの現在の設定値）がＮＦＣリーダ／ライタ部３３により制御データ格納領域１１１１から読み出される。読み出された情報は、出力制御部３５の制御によりユーザインタフェース部３１に出力される。これにより、管理者は携帯端末３０上で室内機２０−１〜２０−ｎの現在の設定値の情報を確認することができる。
【００３０】
また識別用データ監視部３４において識別用データが「3」に書き換えられていると判定されたときに、書き込み情報生成部３２において、識別用データを「3」から初期値の「0」に書き換えるための識別用データ更新情報が生成される。そして、ＮＦＣリーダ／ライタ部３３により、生成された識別用データ更新情報に基づいて識別用データ格納領域１１１２内の識別用データが「3」から「0」に書き換えられる（Ｓ１９、Ｓ２０；矢印ａ）。識別用データが「3」から「0」に書き換えられると、携帯端末３０は、ステップＳ３の管理者による操作の有無を監視する状態に戻る。また、室外機１０のフラッシュＲＯＭ１１１内の識別用データ格納領域１１１２に格納されている識別用データは初期値の「0」に戻る（Ｓ１）。
【００３１】
また、室外機１０の通信制御部１１２において識別用データ格納領域１１１２の識別用データが「0」に書き換えられたことが検知され（Ｓ２１の「YES」）、ステップＳ２に戻って識別用データの監視が継続される。
【００３２】
上述したように動作する空調システム１内において、異常が発生したときに実行される処理について説明する。
【００３３】
まず、ステップＳ４において携帯端末３０から命令コマンドの書き込みおよび識別用データの書き換え処理が開始されたが、これらの処理が正常に実行されなかったとき（Ｓ９の「NO」）には、携帯端末３０において、携帯端末３０と室外機１０との間のＮＦＣによる通信（矢印ａおよびｂ）に異常が発生したと判断される。そして、ＮＦＣによる通信の異常を報知するための出力情報が出力制御部３５で生成されてユーザインタフェース部３１から出力され（Ｓ２２）、管理者に報知される。
【００３４】
また、ステップＳ１１において携帯端末３０により読み出された識別用データが「2」に書き換えられていなかったとき（Ｓ１２の「NO」）には、携帯端末３０において、室外機１０が通電されていないと判断される。そして、室外機１０の非通電を報知するための出力情報が出力制御部３５で生成されてユーザインタフェース部３１から出力され（Ｓ２３）、管理者に報知される。
【００３５】
また、ステップＳ１７において携帯端末３０により読み出された識別用データが「3」に書き換えられていなかったとき（Ｓ１８の「NO」）には、携帯端末３０において、室外機１０と室内機２０−１〜２０−ｎとの間、または室外機１０内の通信に異常が発生したと判断される。そして、室外機１０と室内機２０−１〜２０−ｎとの間、または室外機１０内の通信に異常が発生したことを報知するための出力情報が出力制御部３５で生成されてユーザインタフェース部３１から出力され（Ｓ２４）、管理者に報知される。
【００３６】
以上の本実施形態によれば、ユーザが携帯端末を室外機にかざす操作のみで、室外機や室内機の内部まで確認する手間をかけることなく、空調システム内で異常が発生した際の原因に関係する情報をユーザに報知することが可能になる。
【００３７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３８】
１…空調システム、１０…空調室外機、１１…通信用基板、１２…空調機制御用基板、
２０−１〜２０−ｎ…室内機、３０…携帯端末、３１…ユーザインタフェース部、
３２…書き込み情報生成部、３３…ＮＦＣリーダ／ライタ部、３４…識別用データ監視部、
３５…出力制御部、１１１…フラッシュＲＯＭ、１１２…通信制御部、
１２１…空調制御部、１２２…空調機情報記憶部、１２３…通信制御部、
１１１１…制御データ格納領域、１１１２…識別用データ格納領域
【図１】
0006476100.tif 000002
【図２】
0006476100.tif 000003
【図３】
0006476100.tif 000004